(57)【特許請求の範囲】
【請求項１】
文法に関するメモを記憶する文法メモ記憶手段と、
表示部にテキストデータを表示させるテキスト表示制御手段と、
このテキスト表示制御手段により表示されたテキストデータの中の任意の単語をユーザ操作に応じて指定する単語指定手段と、
前記テキスト表示制御手段により表示されたテキストデータの表示画面内に前記文法メモ記憶手段により記憶された文法に関するメモの一覧を表示させる文法メモ一覧表示制御手段と、
この文法メモ一覧表示制御手段により一覧表示された文法に関するメモの中の任意のメモをユーザ操作に応じて選択するメモ選択手段と、
前記テキスト表示制御手段により表示されたテキストデータの表示画面において、前記単語指定手段により指定された単語に対応する位置に行間を追加する行間追加手段と、
この行間追加手段により追加された行間の前記単語指定手段により指定された単語に対応する位置に、前記メモ選択手段により選択された文法に関するメモを表示させる選択メモ表示制御手段と、
この選択メモ表示制御手段により前記指定された単語に対応する位置に前記選択された文法に関するメモが表示されたテキストデータを登録するデータ登録手段と、
を備えたことを特徴とする文法メモ入力装置。
【請求項２】
前記メモ選択手段により前記一覧表示された文法に関するメモの中の任意のメモがユーザ操作に応じて選択された際に、前記選択メモ表示制御手段により既に他のメモが表示されていた場合は、当該選択メモ表示制御手段は、前記メモ選択手段により今回選択されたメモを前記他のメモと判別可能にして前記単語指定手段により今回指定された単語に対応する位置に表示させる、
ことを特徴とする請求項１に記載の文法メモ入力装置。
【請求項３】
前記メモ選択手段により前記一覧表示された文法に関するメモの中の任意のメモがユーザ操作に応じて選択された際に、前記選択メモ表示制御手段により既に他のメモが表示されていた場合は、当該選択メモ表示制御手段は、前記行間追加手段により行間を更に追加させ、前記メモ選択手段により今回選択されたメモと前記他のメモとを複数の行間に分けて前記単語指定手段により今回指定された単語に対応する位置と前回指定された単語に対応する位置とに表示させる、
ことを特徴とする請求項１に記載の文法メモ入力装置。
【請求項４】
前記文法メモ記憶手段は、文法に関するメモとして、品詞に関するメモと構文要素に関するメモと係り受けに関するメモとを記憶し、
前記表示部の表示画面はタッチパネルで構成され、
前記表示部の表示画面に対するタッチ操作に応じて前記文法メモ記憶手段により記憶された文法に関する３種類のメモを選択的に切り替える文法メモ切り替え手段を備え、
前記文法メモ一覧表示制御手段は、前記テキスト表示制御手段により表示されたテキストデータの表示画面内に前記文法メモ切り替え手段により切り替えられた種類の文法に関するメモの一覧を表示させる、
ことを特徴とする請求項１ないし請求項３の何れか１項に記載の文法メモ入力装置。
【請求項５】
電子機器のコンピュータを、
文法に関するメモをメモリに記憶させる文法メモ記憶手段、
表示部にテキストデータを表示させるテキスト表示制御手段、
このテキスト表示制御手段により表示されたテキストデータの中の任意の単語をユーザ操作に応じて指定する単語指定手段、
前記テキスト表示制御手段により表示されたテキストデータの表示画面内に前記文法メモ記憶手段により記憶された文法に関するメモの一覧を表示させる文法メモ一覧表示制御手段、
この文法メモ一覧表示制御手段により一覧表示された文法に関するメモの中の任意のメモをユーザ操作に応じて選択するメモ選択手段、
前記テキスト表示制御手段により表示されたテキストデータの表示画面において、前記単語指定手段により指定された単語に対応する位置に行間を追加する行間追加手段、
この行間追加手段により追加された行間の前記単語指定手段により指定された単語に対応する位置に、前記メモ選択手段により選択された文法に関するメモを表示させる選択メモ表示制御手段、
この選択メモ表示制御手段により前記指定された単語に対応する位置に前記選択された文法に関するメモが表示されたテキストデータをメモリに登録させるデータ登録手段、
として機能させるためのプログラム。
【発明の詳細な説明】
【技術分野】
【０００１】
本発明は、電子テキストの表示装置に搭載して有効な文法メモ入力装置およびその制御プログラムに関する。
【背景技術】
【０００２】
従来の電子辞書装置において、辞書データに含まれるユーザ所望の見出し語に対して手書き入力された任意の見出しメモを対応付けて登録し、これにより登録された見出しメモの一覧から所望の見出しメモを選択することで、当該選択された見出しメモに対応付けられた見出し語とその説明情報を直ちに表示することができる手書きメモ機能を備えた電子辞書装置が考えられている（例えば、特許文献１参照。）。
【０００３】
また、電子辞書装置には、その辞書データベースに例文が記憶されており、この例文のテキストを表示したり、あるいは外部から読み込んだ各種の電子ブックや文章のテキストを表示したりするテキストリーダの機能を持ったものもある。
【先行技術文献】
【特許文献】
【０００４】
【特許文献１】特開２００９−１４６２２３号公報
【発明の概要】
【発明が解決しようとする課題】
【０００５】
英語や国語の試験問題には、文章中の語句の品詞、構文要素、係り受け関係を回答させる文法問題があり、学生は、このような文法問題の対策として、教科書や書籍の紙面上に直接「品詞」などのメモを書き込んで勉強している。
【０００６】
前記従来の電子辞書装置では、手書きメモ機能を有しているものの、当該手書きメモは辞書データベース内の見出し語に対応付けて登録されるものであり、例文や外部から読み込んだ文章を利用してこのような勉強を行うことはできない。
【０００７】
本発明は、このような課題に鑑みなされたもので、テキストデータの表示画面中の所望の単語に対して、文法に関するメモを容易に対応付けて表示させることが可能になる文法メモ入力装置およびプログラムを提供することを目的とする。
【課題を解決するための手段】
【０００８】
請求項１に記載の文法メモ入力装置は、文法に関するメモを記憶する文法メモ記憶手段と、表示部にテキストデータを表示させるテキスト表示制御手段と、このテキスト表示制御手段により表示されたテキストデータの中の任意の単語をユーザ操作に応じて指定する単語指定手段と、前記テキスト表示制御手段により表示されたテキストデータの表示画面内に前記文法メモ記憶手段により記憶された文法に関するメモの一覧を表示させる文法メモ一覧表示制御手段と、この文法メモ一覧表示制御手段により一覧表示された文法に関するメモの中の任意のメモをユーザ操作に応じて選択するメモ選択手段と、前記テキスト表示制御手段により表示されたテキストデータの表示画面において、前記単語指定手段により指定された単語に対応する位置に行間を追加する行間追加手段と、この行間追加手段により追加された行間の前記単語指定手段により指定された単語に対応する位置に、前記メモ選択手段により選択された文法に関するメモを表示させる選択メモ表示制御手段と、この選択メモ表示制御手段により前記指定された単語に対応する位置に前記選択された文法に関するメモが表示されたテキストデータを登録するデータ登録手段と、を備えたことを特徴としている。
【０００９】
請求項２に記載の文法メモ入力装置は、前記請求項１に記載の文法メモ入力装置において、前記メモ選択手段により前記一覧表示された文法に関するメモの中の任意のメモがユーザ操作に応じて選択された際に、前記選択メモ表示制御手段により既に他のメモが表示されていた場合は、当該選択メモ表示制御手段は、前記メモ選択手段により今回選択されたメモを前記他のメモと判別可能にして前記単語指定手段により今回指定された単語に対応する位置に表示させる、ことを特徴としている。
【００１０】
請求項３に記載の文法メモ入力装置は、前記請求項１に記載の文法メモ入力装置において、前記メモ選択手段により前記一覧表示された文法に関するメモの中の任意のメモがユーザ操作に応じて選択された際に、前記選択メモ表示制御手段により既に他のメモが表示されていた場合は、当該選択メモ表示制御手段は、前記行間追加手段により行間を更に追加させ、前記メモ選択手段により今回選択されたメモと前記他のメモとを複数の行間に分けて前記単語指定手段により今回指定された単語に対応する位置と前回指定された単語に対応する位置とに表示させる、ことを特徴としている。
【００１１】
請求項４に記載の文法メモ入力装置は、前記請求項１ないし請求項３の何れか１項に記載の文法メモ入力装置において、前記文法メモ記憶手段は、文法に関するメモとして、品詞に関するメモと構文要素に関するメモと係り受けに関するメモとを記憶し、前記表示部の表示画面はタッチパネルで構成され、前記表示部の表示画面に対するタッチ操作に応じて前記文法メモ記憶手段により記憶された文法に関する３種類のメモを選択的に切り替える文法メモ切り替え手段を備え、前記文法メモ一覧表示制御手段は、前記テキスト表示制御手段により表示されたテキストデータの表示画面内に前記文法メモ切り替え手段により切り替えられた種類の文法に関するメモの一覧を表示させる、ことを特徴としている。
【００１２】
請求項５に記載のプログラムは、電子機器のコンピュータを、文法に関するメモをメモリに記憶させる文法メモ記憶手段、表示部にテキストデータを表示させるテキスト表示制御手段、このテキスト表示制御手段により表示されたテキストデータの中の任意の単語をユーザ操作に応じて指定する単語指定手段、前記テキスト表示制御手段により表示されたテキストデータの表示画面内に前記文法メモ記憶手段により記憶された文法に関するメモの一覧を表示させる文法メモ一覧表示制御手段、この文法メモ一覧表示制御手段により一覧表示された文法に関するメモの中の任意のメモをユーザ操作に応じて選択するメモ選択手段、前記テキスト表示制御手段により表示されたテキストデータの表示画面において、前記単語指定手段により指定された単語に対応する位置に行間を追加する行間追加手段、この行間追加手段により追加された行間の前記単語指定手段により指定された単語に対応する位置に、前記メモ選択手段により選択された文法に関するメモを表示させる選択メモ表示制御手段、この選択メモ表示制御手段により前記指定された単語に対応する位置に前記選択された文法に関するメモが表示されたテキストデータをメモリに登録させるデータ登録手段、として機能させることを特徴としている。
【発明の効果】
【００１３】
本発明によれば、テキストデータの表示画面中の所望の単語に対して、文法に関するメモを容易に対応付けて入力し表示させることが可能になる文法メモ入力装置およびプログラムを提供できる。
【図面の簡単な説明】
【００１４】
【図１】本発明の実施形態に係る文法メモ入力機能を備えた電子辞書装置１０の外観構成を示す正面図。
【図２】前記電子辞書装置１０の電子回路の構成を示すブロック図。
【図３Ａ】前記電子辞書装置１０の文法メモデータメモリ２２ｄに記憶される品詞メモデータ２２ｄ１の内容を示す図。
【図３Ｂ】前記電子辞書装置１０の文法メモデータメモリ２２ｄに記憶される構文要素メモデータ２２ｄ２の内容を示す図。
【図３Ｃ】前記電子辞書装置１０の文法メモデータメモリ２２ｄに記憶される係り受けメモデータ２２ｄ３の内容を示す図。
【図４】前記電子辞書装置１０による文法メモモード制御処理を示すフローチャート。
【図５】前記電子辞書装置１０の文法メモモード制御処理に伴う係り受けメモ記入処理を示すフローチャート。
【図６】前記電子辞書装置１０の文法メモモード制御処理による品詞メモデータの挿入手順に対応した表示動作例を示す図。
【図７】前記電子辞書装置１０の文法メモモード制御処理による係り受け関係メモデータの挿入手順に対応した表示動作例（その１）を示す図。
【図８】前記電子辞書装置１０の文法メモモード制御処理による係り受け関係メモデータの挿入手順に対応した表示動作例（その２）を示す図。
【図９】前記電子辞書装置１０の文法メモモード制御処理に伴う係り受けメモ記入処理において係り受け関係が重複する場合の具体例を示す図。
【発明を実施するための形態】
【００１５】
以下図面により本発明の実施の形態について説明する。
【００１６】
図１は、本発明の実施形態に係る文法メモ入力機能を備えた電子辞書装置１０の外観構成を示す正面図である。
【００１７】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１８】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る」キー１４ｄ、カーソルキー１４ｅ、「例文」キー１４ｆ、「文法メモ」キー１４ｇなどを備えたキー入力部（キーボード）１４、および手書き入力部（サブ画面）１５が備えられる。
【００１９】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットのカラー液晶表示画面１５ｄに透明タッチパネル１５ｔを重ねて構成される。この手書き入力部１５の入力領域は、必要に応じて、手書き文字を入力するための手書き文字入力領域や各種機能のボタン入力領域、あるいは当該各入力領域が混在する領域に切り替えられる。
【００２０】
そして、前記手書き入力部１５が手書き文字入力領域に切り替えられた状態での手書き入力に伴う軌跡はそのカラー液晶表示画面１５ｄにエコーバックして表示される。
【００２１】
また蓋体ケース１２の表面には、そのほぼ全面を対象に例えば４８０×３２０ドットのバックライト付きのタッチパネル式表示部（メイン画面）１６が設けられる。このタッチパネル式表示部（メイン画面）１６も、前記手書き入力部（サブ画面）１５と同様に、ユーザがペンや指等でタッチした位置を検出するタッチ位置検出装置と表示装置が一体となった構造であり、そのカラー液晶表示画面１６ｄに透明タッチパネル１６ｔを重ねて構成される。
【００２２】
図２は、前記電子辞書装置１０の電子回路の構成を示すブロック図である。
【００２３】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２４】
ＣＰＵ２１は、主記憶装置（フラッシュＲＯＭ）２２内に予め記憶された装置制御プログラム２２ａ、あるいはＲＯＭカードなどの外部記憶媒体２３から記憶媒体読み書き部２４を介して前記主記憶装置２２に読み込まれた装置制御プログラム２２ａ、あるいはインターネットＮ上のＷｅｂサーバ（この場合はプログラムサーバ）３０から外部インターフェイス２５を介して前記主記憶装置２２に読み込まれた装置制御プログラム２２ａに応じて、ＲＡＭ２６を作業用メモリとして回路各部の動作を制御する。
【００２５】
前記主記憶装置２２に記憶された装置制御プログラム２２ａは、キー入力部１４、手書き入力部１５、タッチパネル式表示部１６からのユーザ操作に応じた入力信号、あるいは外部インターフェイス２５を介して接続されるインターネットＮ上の各Ｗｅｂサーバ３０…との通信信号に応じて起動される。
【００２６】
このように、前記ＣＰＵ２１には、前記主記憶装置２２、記憶媒体読み書き部２４、外部インターフェイス２５、ＲＡＭ２６、キー入力部１４、手書き入力部１５、タッチパネル式表示部１６が接続される。
【００２７】
主記憶装置２２には、装置制御プログラム２２ａとして、当該電子辞書装置１０の全体の動作を司るシステムプログラムや外部インターフェイス２５を介してインターネットＮ上の各Ｗｅｂサーバ３０…や図示しないユーザＰＣ(Personal Computer)などとデータ通信するための通信プログラムが記憶される。また他に、辞書機能における見出し語検索処理、検索見出し語のリスト表示処理、カーソルＣｕによりフォーカスされた見出し語に対応する訳語・意味内容・例文（用例）などの各種説明情報の読み出し表示処理など、同主記憶装置２２内に記憶された辞書データベース２２ｂに基づく検索・表示処理全般を制御するための辞書検索プログラムが記憶される。さらに、前記辞書データベース２２ｂから読み出されて表示された例文（用例）のテキストデータや外部から読み込まれて表示された電子ブックや各種文章のテキストデータに対して、ユーザ所望の文法メモを付加して登録するための文法メモ入力処理プログラムが記憶される。
【００２８】
辞書データベース２２ｂには、例えば英語の見出し語（単語）に対応付けて日本語の説明情報が記述された［英和辞書］、英語の見出し語（単語）に対応付けて英語の説明情報が記述された［英英辞書］をはじめ、［英類語辞書］［和英辞書］［国語辞書］［百科辞典］など、複数種類の辞書データが、予め記憶されるかあるいはダウンロードされて記憶される。
【００２９】
さらに、前記辞書データベース２２ｂには、そこに記憶される各種の辞書に対応付けて、例えば［国語辞書］に記述された説明情報に含まれる括弧内の情報などを省略し主要な情報のみに簡約化した［国語簡易辞書］、前記［英和辞書］に記述された説明情報に含まれる括弧内の情報などを省略し主要な情報のみに簡約化した［英和簡易辞書］などが記憶される。
【００３０】
また、主記憶装置２２には、予め記憶されるかあるいはダウンロードされた電子ブックなどのテキストデータが記憶されるテキストデータメモリ２２ｃ、品詞・構文要素・係り受け関係の文法用語をリスト化した３種の文法メモデータが記憶される文法メモデータメモリ２２ｄなどが記憶される。
【００３１】
図３Ａは、前記電子辞書装置１０の文法メモデータメモリ２２ｄに記憶される品詞メモデータ２２ｄ１の内容を示す図である。
【００３２】
品詞メモデータ２２ｄ１としては、日本語および英語に存在する品詞のリスト（［名詞］［代名詞］［動詞］［助動詞］［代動詞］…［疑問詞］）が、それぞれ日本語での有無情報と英語での有無情報に対応付けられて記憶される。
【００３３】
図３Ｂは、前記電子辞書装置１０の文法メモデータメモリ２２ｄに記憶される構文要素メモデータ２２ｄ２の内容を示す図である。
【００３４】
構文要素メモデータ２２ｄ２としては、日本語と英語における構文要素のリスト（日本語［主語］［動詞（述語）］［目的語］［補語］／英語［Ｓ］［Ｖ］［Ｏ］［Ｃ］）が記憶される。
【００３５】
図３Ｃは、前記電子辞書装置１０の文法メモデータメモリ２２ｄに記憶される係り受けメモデータ２２ｄ３の内容を示す図である。
【００３６】
係り受けメモデータ２２ｄ３としては、文章中にある語句の文法上の係り受け関係を示すリスト（［主語・述語の関係］［修飾・被修飾の関係］［補助の関係］［並立の関係］［接続・被接続の関係］［独立の関係］）が記憶される。
【００３７】
［主語・述語の関係］とは、文の根幹、最も基本的な部分になり、主語と述語からなる関係を示す。
【００３８】
［修飾・被修飾の関係］とは、文中での意味を詳しくする・される文節の関係を示し、意味を詳しくする方を「修飾語」、詳しくされる方を「被修飾語」と言う。
【００３９】
［補助の関係］とは、例えば「読ん  で  いる。」「置い  て  ある。」のように、「動詞＋て（で）＋補助動詞」となる関係を示す。
【００４０】
［並立の関係］とは、例えば「赤  と  白  の…」のように、前の文節が、後の文節と並立（・対立）している関係を示し、基本的には、順番を入れ替えても意味が変わらない特徴を持つ。
【００４１】
［接続・被接続の関係］とは、例えば「…は、  雨なので  濡れた。」のように、接続語・接続助詞によって繋げられた文節動詞の関係を示し、接続助詞によって繋げられた文節は、接続詞に置き換えても意味が変わらない特徴を持つ。
【００４２】
ＲＡＭ２６には、登録データメモリ２６ａが備えられる。この登録データメモリ２６ａには、前記辞書データベース２２ｂから読み出された例文のテキストデータあるいは前記テキストデータメモリ２２ｃから読み出された電子ブックなどのテキストデータがタッチパネル式表示部１６に表示されたテキスト表示画面Ｇ（図６〜図８参照）において、ユーザ操作に応じて当該テキストデータの中の任意の単語に対応付けて前記品詞、構文要素、係り受け関係の文法メモデータが挿入された場合に、当該文法メモデータが挿入されたテキストデータが登録される。
【００４３】
なお、前記タッチパネル式表示部（メイン画面）１６の左端には、動作モードに応じて実行可能な機能をタッチ操作により指定するための、各種のアイコンが表示されるタッチアイコンエリア１６Ｂ（図６〜図８参照）が設けられる。
【００４４】
例えば辞書データベース２２ｂに基づいて所望の辞書の見出し語を検索しその説明情報のテキストデータを表示させたテキスト表示画面Ｇやテキストデータメモリ２２ｃから読み出された所望のテキストデータを表示させたテキスト表示画面Ｇが前記タッチパネル式表示部（メイン画面）１６に表示されるテキスト表示モードの場合、前記タッチアイコンエリア１６Ｂには、前記テキスト表示画面Ｇに表示されているテキストデータの中の任意の範囲をタッチでなぞってカラーマーカーにより識別表示させるためのマーカーモードを設定する［マーカー］アイコンＢＭ、ユーザ所望の単語をユーザ独自に分類して登録した単語帳を呼び出すための［単語帳］アイコンＢＴ、前記テキスト表示画面Ｇに表示されているテキストデータの中の所望の単語に対応付けてその品詞・構文要素・係り受け関係を示す文法メモを挿入するための［文法メモ］アイコンＢＢなどが赤色で表示される。
【００４５】
そして、前記［文法メモ］アイコンＢＢをタッチ操作するか、または前記「文法メモ」キー１４ｇを押下して、当該［文法メモ］アイコンＢＢを指定表示ｈさせ、文法メモモードを起動させると、前記タッチアイコンエリア１６Ｂには、文法メモモードアイコンＢＧが赤色で表示される。
【００４６】
この文法メモモードアイコンＢＧは、前記テキスト表示画面Ｇにて指定表示ｈされたユーザ所望の単語Ｗに対応付けて品詞のメモを挿入するための［品詞］アイコンＢｐ、同ユーザ所望の単語Ｗに対応付けて構文要素のメモを挿入するための［構文要素］アイコンＢｃ、同ユーザ所望の単語Ｗ１，Ｗ２に対応付けて係り受け関係のメモを挿入するための［係り受け］アイコンＢｒ、同ユーザ所望の単語Ｗ（Ｗ１，Ｗ２）に対応付けて挿入された文法メモを削除するための［削除］アイコンＢｅの４つのアイコンからなる。
【００４７】
次に、前記構成による電子辞書装置１０の文法メモ入力機能について説明する。
【００４８】
図４は、前記電子辞書装置１０による文法メモモード制御処理を示すフローチャートである。
【００４９】
図５は、前記電子辞書装置１０の文法メモモード制御処理に伴う係り受けメモ記入処理を示すフローチャートである。
【００５０】
図６は、前記電子辞書装置１０の文法メモモード制御処理による品詞メモデータの挿入手順に対応した表示動作例を示す図である。
【００５１】
例えば外部から読み込まれてテキストデータメモリ２２ｃに記憶された「英語名演説・名せりふ集」のテキストデータが読み出され、図６（Ａ）に示すように、タッチパネル式表示部１６にテキスト表示画面Ｇとして表示された状態で、キー入力部１４の「文法メモ」キー１４ｇが押下されるか、またはタッチアイコンエリア１６Ｂに表示された［文法メモ］アイコンＢＢがタッチされて指定表示ｈされ、文法メモモードが起動されると、図４における文法メモモード処理が開始される。
【００５２】
文法メモモード処理が開始されると、辞書データベース２２ｂから読み出された例文のテキストやテキストデータメモリ２２ｃから読み出された電子ブックのテキストなどによるテキスト表示画面Ｇの表示中か否か判断される（ステップＳ１）。
【００５３】
テキスト表示画面Ｇの表示中と判断されると（ステップＳ１（Ｙｅｓ））、図６（Ｂ）に示すように、当該画面Ｇの左端のタッチアイコンエリア１６Ｂに、［品詞］アイコンＢｐ、［構文要素］アイコンＢｃ、［係り受け］アイコンＢｒ、［削除］アイコンＢｅからなる文法メモモードアイコンＢＧが表示される（ステップＳ２）。
【００５４】
ここで、前記テキスト表示画面Ｇに表示されたテキストデータの中のユーザ所望の単語に対してその品詞のメモを記入するために、前記文法メモモードアイコンＢＧの［品詞］アイコンＢｐがタッチされて指定表示ｈされ（ステップＳ３（Ｙｅｓ））、所望の単語「place」が選択されて指定表示ｈされると（ステップＳ４）、文法メモデータメモリ２２ｄに記憶されている品詞メモデータ２２ｄ１（図３Ａ参照）に基づき、当該選択された単語「place」の言語（英語）に応じた品詞リストＬｐ（「名詞」「代名詞」「動詞」「助動詞」「代動詞」）が生成され（ステップＳ５）、前記選択された単語「place」の近接した位置にウインドウで表示される（ステップＳ６）。
【００５５】
このウインドウ表示された品詞リストＬｐにおいて、青色表示されるカーソルＣｕが移動され「名詞」が選択されると（ステップＳ７（Ｙｅｓ））、前記選択された単語「place」のある行の直上に１行の行間Ｌｇが挿入される（ステップＳ８）。
【００５６】
すると、図６（Ｃ）に示すように、前記挿入された行間Ｌｇを使用して、前記選択された単語「place」に対応する位置に、前記品詞リストＬｐから選択された品詞メモ「名詞」Ｍｐが、文法の種類（品詞）に応じた赤色で記入され表示される（ステップＳ９）。
【００５７】
なお、前記ユーザにより選択された単語「place」が指定表示ｈされると共に、当該選択単語「place」の言語（英語）に応じた品詞リストＬｐがウインドウ表示された状態で（ステップＳ４〜Ｓ６）、当該選択単語「place」がタッチ操作などにより指定されると（ステップＳ１０（Ｙｅｓ））、この指定された単語「place」の言語（英語）に応じた［英和簡易辞書］からその簡約な説明情報が読み出されて一定時間ウインドウ表示される（ステップＳ１１）。
【００５８】
これにより、前記選択語句（単語）「place」に関する文法的情報や意味内容を、前記品詞リストＬｐの選択操作を行う前に簡単に参照することができる。
【００５９】
また、前記同様に文法メモモード処理が開始され、テキスト表示画面Ｇの左端のタッチアイコンエリア１６Ｂに文法メモモードアイコンＢＧが表示された際に（ステップＳ１（Ｙｅｓ）→Ｓ２）、表示テキスト中のユーザ所望の単語に対してその構文要素のメモを記入するために、［構文要素］アイコンＢｃがタッチされて指定表示ｈされると（ステップＳ１２（Ｙｅｓ））、これ以降の処理は、前記［品詞］アイコンＢｐがタッチ操作された場合（ステップＳ４〜Ｓ９）と同様に実行される。
【００６０】
すなわち、ユーザ所望の単語（例えば「America」）が選択されて指定表示ｈされると、文法メモデータメモリ２２ｄに記憶されている構文要素メモデータ２２ｄ２（図３Ｂ参照）に基づき、当該選択単語の言語（英語）に応じた構文要素リストＬｃ（「Ｓ」「Ｖ」「Ｏ」「Ｃ」）が生成され、前記選択単語の近接した位置にウインドウで表示される。
【００６１】
このウインドウ表示された構文要素リストＬｃにおいて、青色表示されるカーソルＣｕが移動され「Ｓ」が選択されると、前記選択単語「America」のある行の直上に１行の行間Ｌｇが挿入される。
【００６２】
すると、前記挿入された行間Ｌｇを使用して、前記選択単語「America」に対応する位置に、前記構文要素リストＬｃから選択された構文要素メモ「Ｓ」Ｍｃが、文法の種類（構文要素）に応じた黄色で記入され表示される。
【００６３】
なお、この［構文要素］アイコンＢｃがタッチ操作された場合でも、前記選択単語「America」が指定表示ｈされると共に、当該選択単語「America」の言語（英語）に応じた構文要素リストＬｃがウインドウ表示された状態で、当該選択単語「America」がタッチ操作などにより指定されると、この指定された単語「America」の言語（英語）に応じた［英和簡易辞書］からその簡約な説明情報が読み出されて一定時間ウインドウ表示される。
【００６４】
このため、前記選択単語「America」に関する文法的情報や意味内容を、前記構文要素リストＬｃの選択操作を行う前に簡単に参照することができる。
【００６５】
図７は、前記電子辞書装置１０の文法メモモード制御処理による係り受け関係メモデータの挿入手順に対応した表示動作例（その１）を示す図である。
【００６６】
図８は、前記電子辞書装置１０の文法メモモード制御処理による係り受け関係メモデータの挿入手順に対応した表示動作例（その２）を示す図である。
【００６７】
例えば、図７（Ａ）に示すように、「英語名演説・名せりふ集」のテキスト表示画面Ｇにおいて、タッチアイコンエリア１６Ｂの［文法メモ］アイコンＢＢがペンＰによりタッチされて指定表示ｈされ、文法メモモードが起動されるのに伴い、図７（Ｂ）に示すように、前記タッチアイコンエリア１６Ｂに文法メモモードアイコンＢＧが表示された状態で（ステップＳ２）、表示中のテキストデータの中のユーザ所望の２つの単語間の係り受け関係のメモを記入するために、前記文法メモモードアイコンＢＧの［係り受け］アイコンＢｒがタッチされて指定表示ｈされると（ステップＳ１４（Ｙｅｓ））、図５における係り受けメモ記入処理へ移行される（ステップＳＡ）。
【００６８】
この係り受けメモ記入処理において、図７（Ｃ）に示すように、第１の単語「この国」Ｗ１がペンＰによりタッチされて選択され指定表示ｈされた後（ステップＡ１）、図８（Ｄ）に示すように、第２の単語「見た」Ｗ２がタッチされて選択され指定表示ｈされると（ステップＡ２）、文法メモデータメモリ２２ｄに記憶されている係り受けメモデータ２２ｄ３（「主語・述語の関係」「修飾・被修飾の関係」「補助の関係」「並立の関係」「接続・被接続の関係」「独立の関係」）（図３Ｃ参照）が読み出され、図８（Ｅ）に示すように、係り受け関係リストＬｒとして、前記選択された２つの単語「この国」Ｗ１，「見た」Ｗ２の近接した位置にウインドウで表示される（ステップＡ３）。
【００６９】
この係り受け関係リストＬｒにおいて、前記選択された２つの単語「この国」Ｗ１，「見た」Ｗ２の係り受け関係「主語・述語の関係」が、ユーザ操作に応じて移動されるカーソルＣｕ（青色）により選択されると（ステップＡ４（Ｙｅｓ））、同テキスト表示画面Ｇ内に他の係り受け関係メモＭｒが既に表示されているか否か判断される（ステップＡ５）。
【００７０】
ここで、前記テキスト表示画面Ｇ内に他の係り受け関係メモＭｒは表示されてないと判断されると（ステップＡ５（Ｎｏ））、前記選択された第１，第２の単語「この国」Ｗ１，「見た」Ｗ２のある行の直上に１行の行間Ｌｇが挿入される（ステップＡ６）。
【００７１】
すると、前記選択された係り受け関係「主語・述語の関係」について、その文法の種類に応じた表示色（例えば（赤色））が決定される（ステップＡ７）。
【００７２】
そして、図８（Ｆ）に示すように、前記挿入された行間Ｌｇを使用して、前記選択された第１の単語「この国」と第２の単語「見た」との間に、前記係り受け関係リストＬｒから選択された係り受け関係メモ「主語・述語」Ｍｒが、前記決定された表示色（赤色）で記入され表示される（ステップＡ８）。
【００７３】
なお、この［係り受け］アイコンＢｒがタッチ操作された場合でも、前記選択された第１の単語「この国」Ｗ１と第２の単語「見た」Ｗ２とが指定表示ｈされると共に、当該選択単語「この国」Ｗ１と「見た」Ｗ２とに応じた係り受け関係リストＬｒがウインドウ表示された状態で（ステップＡ１〜Ａ３）、当該選択単語「この国」Ｗ１，「見た」Ｗ２の何れかがタッチ操作などにより指定されると（ステップＡ１１（Ｙｅｓ））、この指定された単語「この国」Ｗ１または「見た」Ｗ２の言語（国語）に応じた［国語簡易辞書］からその簡約な説明情報が読み出されて一定時間ウインドウ表示される（ステップＡ１２）。
【００７４】
このため、前記選択単語「この国」Ｗ１または「見た」Ｗ２に関する文法的情報や意味内容を、前記係り受け関係リストＬｒの選択操作を行う前に簡単に参照することができる。
【００７５】
一方、前記係り受け関係リストＬｒから前記選択された２つの単語Ｗ１，Ｗ２の係り受け関係が選択された際に（ステップＡ４（Ｙｅｓ））、前記テキスト表示画面Ｇ内に他の係り受け関係メモＭｒが既に表示されていると判断されると（ステップＡ５（Ｙｅｓ））、当該２つの係り受け関係の位置が重複するか否か判断される（ステップＡ９）。
【００７６】
ここで、２つの係り受け関係の位置が重複しないと判断された場合には（ステップＡ９（Ｎｏ））、今回選択された２つの単語Ｗ１，Ｗ２の係り受け関係の表示色が既に表示されている他の係り受け関係メモＭｒと異なる表示色（例えば緑色）に決定される（ステップＡ７）。
【００７７】
そして、前記既に表示されている他の係り受け関係メモＭｒに応じて挿入された行間Ｌｇを使用して、今回選択された第１の単語と第２の単語との間に、前記係り受け関係リストＬｒから選択された係り受け関係メモＭｒｂが、前記決定された表示色（緑色）で記入され表示される（ステップＡ８）。
【００７８】
図９は、前記電子辞書装置１０の文法メモモード制御処理に伴う係り受けメモ記入処理において係り受け関係が重複する場合の具体例を示す図である。
【００７９】
例えば図９（Ａ１）に示すように、前回の係り受けメモ記入処理に伴い選択された第１の単語Ｗａ１と第２の単語Ｗａ２とに対応する直上の行間Ｌｇ１に、ユーザ選択された係り受け関係メモＭｒａが赤色表示されている状態で、図９（Ａ２）に示すように、前記前回選択された第１，第２の単語Ｗａ１，Ｗａ２よりも内側に今回選択された第１，第２の単語Ｗｂ１，Ｗｂ２が位置すると、当該前回と今回の係り受け関係の位置が重複すると判断される（ステップＡ９（Ｙｅｓ））。
【００８０】
すると、前回追加した行間Ｌｇ１の直上に更に行間Ｌｇ２が追加され（ステップＡ１０）、当該行間Ｌｇ２を使用して前回の第１，第２の単語Ｗａ１，Ｗａ２に対応する係り受け関係メモＭｒａが赤色表示されると共に、行間Ｌｇ１を使用して今回の第１，第２の単語Ｗｂ１，Ｗｂ２に対応する係り受け関係メモＭｒｂが判別可能に緑色表示される（ステップＡ７，Ａ８）。
【００８１】
また、例えば図９（Ｂ１）に示すように、前回の係り受けメモ記入処理に伴い選択された第１の単語Ｗａ１と第２の単語Ｗａ２とに対応する直上の行間Ｌｇ１に、ユーザ選択された係り受け関係メモＭｒａが赤色表示されている状態で、図９（Ｂ２）に示すように、前記前回選択された第１，第２の単語Ｗａ１，Ｗａ２よりも外側に今回選択された第１，第２の単語Ｗｂ１，Ｗｂ２が位置すると、当該前回と今回の係り受け関係の位置が重複すると判断される（ステップＡ９（Ｙｅｓ））。
【００８２】
すると、前回追加した行間Ｌｇ１の直上に更に行間Ｌｇ２が追加され（ステップＡ１０）、当該行間Ｌｇ２を使用して今回の第１，第２の単語Ｗｂ１，Ｗｂ２に対応する係り受け関係メモＭｒｂが判別可能に緑色表示される（ステップＡ７，Ａ８）。
【００８３】
また、例えば図９（Ｃ１）に示すように、前回の係り受けメモ記入処理に伴い選択された第１の単語Ｗａ１と第２の単語Ｗａ２とに対応する直上の行間Ｌｇ１に、ユーザ選択された係り受け関係メモＭｒａが赤色表示されている状態で、図９（Ｃ２）に示すように、前記前回選択された第２の単語Ｗａ２の前後に今回選択された第１，第２の単語Ｗｂ１，Ｗｂ２が位置する場合にも、当該前回と今回の係り受け関係の位置が重複すると判断される（ステップＡ９（Ｙｅｓ））。
【００８４】
すると、前回追加した行間Ｌｇ１の直上に新たな行間Ｌｇ２が追加され（ステップＡ１０）、当該行間Ｌｇ２を使用して前回の第１，第２の単語Ｗａ１，Ｗａ２に対応する係り受け関係メモＭｒａが赤色表示されると共に、行間Ｌｇ１を使用して今回の第１，第２の単語Ｗｂ１，Ｗｂ２に対応する係り受け関係メモＭｒｂが判別可能に緑色表示される（ステップＡ７，Ａ８）。
【００８５】
さらに、例えば図９（Ｄ１）に示すように、前回の係り受けメモ記入処理に伴い選択された第１の単語Ｗａ１と第２の単語Ｗａ２とに対応する直上の行間Ｌｇ１に、ユーザ選択された係り受け関係メモＭｒａが赤色表示されている状態で、図９（Ｄ２）に示すように、前記前回選択された第１の単語Ｗａ１を共通にして第２の単語Ｗａ２との間に今回選択された第１，第２の単語Ｗｂ１，Ｗｂ２が位置する場合にも、当該前回と今回の係り受け関係の位置が重複すると判断される（ステップＡ９（Ｙｅｓ））。
【００８６】
すると、前回追加した行間Ｌｇ１の直上に新たな行間Ｌｇ２が追加され（ステップＡ１０）、当該行間Ｌｇ２を使用して前回の第１，第２の単語Ｗａ１，Ｗａ２に対応する係り受け関係メモＭｒａが赤色表示されると共に、行間Ｌｇ１を使用して今回の第１，第２の単語Ｗｂ１，Ｗｂ２に対応する係り受け関係メモＭｒが判別可能に緑色表示される（ステップＡ７，Ａ８）。
【００８７】
また、例えば図９（Ｅ１）に示すように、前回の係り受けメモ記入処理に伴い選択された第１の単語Ｗａ１と第２の単語Ｗａ２とに対応する直上の行間Ｌｇ１に、ユーザ選択された係り受け関係メモＭｒａが赤色表示されている状態で、図９（Ｅ２）に示すように、前記前回選択された第１の単語Ｗａ１を共通にして第２の単語Ｗａ２より外側に今回選択された第１，第２の単語Ｗｂ１，Ｗｂ２が位置する場合にも、当該前回と今回の係り受け関係の位置が重複すると判断される（ステップＡ９（Ｙｅｓ））。
【００８８】
すると、前回追加した行間Ｌｇ１の直上に新たな行間Ｌｇ２が追加され（ステップＡ１０）、当該行間Ｌｇ２を使用して今回の第１，第２の単語Ｗｂ１，Ｗｂ２に対応する係り受け関係メモＭｒｂが判別可能に緑色表示される（ステップＡ７，Ａ８）。
【００８９】
なお、前記文法メモモードアイコンＢＧの［品詞］アイコンＢｐ、［構文要素］アイコンＢｃ、［係り受け］アイコンＢｒの選択操作に従って、文法メモの対象に指定した単語に対応付けてカラー表示された各文法メモＭｐ、Ｍｃ、Ｍｒ（Ｍｒａ，Ｍｒｂ）は、ユーザが指定した文法メモについて、［削除］アイコンＢｅをタッチ操作することで削除される（ステップＳ１５（Ｙｅｓ）→Ｓ１６）。
【００９０】
また、前記［品詞］アイコンＢｐ、［構文要素］アイコンＢｃ、［係り受け］アイコンＢｒの選択的な切り替え操作に従って、ユーザ指定の単語に、各対応する文法メモＭｐ、Ｍｃ、Ｍｒ（Ｍｒａ，Ｍｒｂ）が対応付けられてカラー表示されたテキストデータは、「登録」キーのユーザ操作に応じて、ＲＡＭ２６内の登録データメモリ２６ａに当該テキストデータの項目を見出しとして登録される（ステップＳ１７（Ｙｅｓ）→Ｓ１８）。
【００９１】
そして、前記キー入力部１４の「文法メモ」キー１４ｇがユーザ操作されて文法メモモードが起動された際に、辞書データベース２２ｂから読み出された例文のテキストやテキストデータメモリ２２ｃから読み出された電子ブックのテキストなどによるテキスト表示画面Ｇの表示中にない場合には（ステップＳ１（Ｎｏ））、前記登録データメモリ２６ａに登録された文法メモ付のテキストデータの項目が、タッチパネル式表示部１６に一覧にして表示される（ステップＳ１９）。
【００９２】
この文法メモ付のテキストデータの項目一覧表示画面において、ユーザ所望の項目が選択されると、選択された項目の文法メモ付のテキストデータが読み出されて表示される（ステップＳ２０）。
【００９３】
したがって、前記構成の電子辞書装置１０の文法メモ入力機能によれば、ユーザ所望のテキストデータをタッチパネル式表示部１６に表示させたテキスト表示画面Ｇにおいて、画面左端に表示される［品詞］アイコンＢｐ、［構文要素］アイコンＢｃ、［係り受け］アイコンＢｒを選択的にタッチ操作し、表示されたテキスト内で文法メモを記入したい任意の単語を指定すると、タッチされたアイコンＢｐ，Ｂｃ，Ｂｒに応じた文法に関するメモのリストＬｐ，Ｌｃ，Ｌｒがウインドウ表示される。そして、この文法メモのリストから前記指定の単語に応じた文法のメモを選択すると、当該指定の単語が存在するテキストの行の直上に行間Ｌｇが挿入され、この行間Ｌｇを使用して前記指定の単語に対し前記選択された文法メモが対応付けられて表示される。そして、この文法メモが対応付けられたテキストデータは、適宜読み出して表示可能に登録データメモリ２６ａに登録される。
【００９４】
このため、テキストデータの表示画面中の所望の単語に対して、文法に関するメモを簡単に対応付けて表示させることが可能になる。そして、各種の文章を対象に容易にその文法を学習することがきる。
【００９５】
また、前記［係り受け］アイコンＢｒがタッチ操作され、当該係り受けの文法メモの対象とする２つの単語が指定された際に、既に係り受けの文法メモが対応付けられて表示された他の単語関係が存在し、且つ当該他の単語間が今回指定された２つの単語間と重複する位置にある場合には、そのうち一方の単語間に対応する係り受け関係の文法メモが直上に挿入された行間Ｌｇ１を使用して表示され、もう一方の単語間に対応する係り受け関係の文法メモが前記行間Ｌｇ１の更に上に追加された行間Ｌｇ２を使用して表示される。
【００９６】
このため、複数の係り受け関係の文法メモが混在しても、当該各文法メモを判別可能に明瞭に表示させ、効果的に学習させることができる。
【００９７】
なお、前記実施形態において記載した電子辞書装置１０による各処理の手法、すなわち、図４のフローチャートに示す文法メモモード処理、図５のフローチャートに示す前記文法メモモード処理に伴う係り受けメモ記入処理などの各手法、及び各種のデータ（２２ｂ〜２２ｄ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、電子機器のコンピュータは、この外部記憶媒体２３に記憶されたプログラムを記憶装置（２２）に読み込み、この読み込んだプログラムによって動作が制御されることにより、前記実施形態において説明した任意のテキストデータに対する文法メモ入力機能を実現し、前述した手法による同様の処理を実行することができる。
【００９８】
また、前記各手法を実現するためのプログラムのデータは、プログラムコードの形態としてネットワークＮ上を伝送させることができ、このプログラムデータを、ネットワークＮに接続された電子機器のコンピュータに通信制御部（２５）によって取り込むことで、前述した任意のテキストデータに対する文法メモ入力機能を実現することもできる。
【００９９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１００】
１０  …文法メモ入力機能を備えた電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る」キー
１４ｅ…カーソルキー
１４ｆ…「例文」キー
１４ｇ…「文法メモ」キー
１５  …手書き入力部
１５ｄ…カラー液晶表示部
１５ｔ…透明タッチパネル
１６  …タッチパネル式表示部
１６ｄ…カラー液晶表示部
１６ｔ…透明タッチパネル
１６Ｂ…タッチアイコンエリア
２１  …ＣＰＵ
２２  …主記憶装置
２２ａ…装置制御プログラム
２２ｂ…辞書データベース
２２ｃ…テキストデータメモリ
２２ｄ…文法メモデータメモリ
２２ｄ１…品詞メモデータ
２２ｄ２…構文要素メモデータ
２２ｄ３…係り受けメモデータ
２３  …外部記憶媒体
２４  …記憶媒体読み書き部
２５  …外部インターフェイス
２６  …ＲＡＭ
２６ａ…登録データメモリ
３０  …Ｗｅｂサーバ
ＢＢ  …［文法メモ］アイコン
ＢＧ  …文法メモモードアイコン
Ｂｐ  …［品詞］アイコン
Ｂｃ  …［構文要素］アイコン
Ｂｒ  …［係り受け］アイコン
Ｂｅ  …［削除］アイコン
ｈ  …指定表示
Ｗ    …選択された単語
Ｗ１、Ｗａ１，Ｗｂ１…選択された第１の単語
Ｗ２、Ｗａ２，Ｗｂ２…選択された第２の単語
Ｌｐ  …品詞リスト
Ｌｒ  …係り受け関係リスト
Ｌｇ、Ｌｇ１，Ｌｇ２…行間
Ｍｐ  …品詞メモ
Ｍｒ、Ｍｒａ，Ｍｒｂ…係り受け関係メモ
Ｃｕ  …カーソル
Ｐ    …タッチペン
【図１】
0005471619.tif 000002
【図２】
0005471619.tif 000003
【図３Ａ】
0005471619.tif 000004
【図３Ｂ】
0005471619.tif 000005
【図３Ｃ】
0005471619.tif 000006
【図４】
0005471619.tif 000007
【図５】
0005471619.tif 000008
【図６】
0005471619.tif 000009
【図７】
0005471619.tif 000010
【図８】
0005471619.tif 000011
【図９】
0005471619.tif 000012